(57)【特許請求の範囲】
【請求項１】
表示パネルと、
前記表示パネルに対向配置され、前記表示パネルの表示面を被覆する表示カバーと、
を備え、
前記表示カバーは、
前記表示パネルからの光を透過する透過領域と、
前記透過領域の外周部に設けられ、前記表示パネルからの光を遮断する遮光領域と、
を有し、
前記遮光領域には、
前記表示カバーに設けられた第１遮光部材と、
前記第１遮光部材の表面に設けられた透光性導電膜と、
が積層され、前記第１遮光部材との間に前記透光性導電膜を挟み第２遮光部材が積層されている、
表示装置。
【請求項２】
前記表示カバーは、前記透過領域を含む全面に透光性導電膜が設けられている、請求項１に記載の表示装置。
【請求項３】
前記表示パネルを収納すると共に、前記表示パネルのＧＮＤ電位を有する金属製の収納ケースと、
前記透光性導電膜と前記収納ケースとを電気的に接続する導電性部材と、
をさらに備える請求項１または２に記載の表示装置。
【請求項４】
前記表示カバーと前記表示パネルとの間に絶縁層が設けられている、請求項１から３のいずれか一項に記載の表示装置。
【請求項５】
前記絶縁層は透光性を有する光学用接着剤である、請求項４に記載の表示装置。
【発明の詳細な説明】
【技術分野】
【０００１】
本発明は、表示装置に関する。
【背景技術】
【０００２】
例えば車載のカーナビゲーションシステム等に搭載される表示装置として、液晶表示装置がある。液晶表示装置は、ＬＣＤ（Ｌｉｑｕｉｄ  Ｃｒｙｓｔａｌ  Ｄｉｓｐｌａｙ）パネル（液晶パネル）の表示面が薄いガラスで構成されている。このため、露出していると使用中の外力又は衝撃によってＬＣＤパネルが割れてしまうおそれがある。これに対して、液晶表示装置には、ＬＣＤパネルの表示面側を、表示面を視認できるような透明なカバーウィンドウ（カバーガラス）に固定するものがある。カバーウィンドウを設けることで、ＬＣＤパネルの表示面を被覆して保護することができる。
【０００３】
上記のようなカバーガラスを液晶表示装置に固定する方法として、例えば、下記特許文献１には、カバーガラスとＬＣＤパネルとの間にＵＶ（ｕｌｔｒａｖｉｏｌｅｔ）硬化樹脂（紫外線硬化樹脂）等の透明樹脂が充填され固定される液晶表示装置が記載されている。このように、カバーガラスとＬＣＤパネルとの間隙に透明樹脂を充填した液晶ディスプレイの構造は、スクリーンフィット構造として知られている。
【先行技術文献】
【特許文献】
【０００４】
【特許文献１】特開２０１４−１６０２１８号公報
【発明の概要】
【発明が解決しようとする課題】
【０００５】
近年、液晶表示装置の高精細化が進み、これに伴いＥＭＣ（Ｅｌｅｃｔｒｏ  Ｍａｇｎｅｔｉｃ  Ｃｏｍｐａｔｉｂｉｌｉｔｙ）規制への対応、特にＥＭＩ（Ｅｌｅｃｔｒｏ  Ｍａｇｎｅｔｉｃ  Ｉｎｔｅｒｆｅｒｅｎｃｅ）対策が難しくなってきている。従来、電子機器が発する電磁波ノイズを遮蔽する方法として、銅箔やアルミ箔等の導電テープをノイズ発信源に覆う対策を行うのが一般的である。液晶表示装置や、液晶表示装置を搭載する電子機器の場合、ＬＣＤパネルの表示エリアの外縁部にＦＰＣ（Ｆｌｅｘｉｂｌｅ  Ｐｒｉｎｔｅｄ  Ｃｉｒｃｕｉｔｓ）やドライバＩＣ等を設け、カバーガラスには、表示エリアの外縁部に対向する外縁部に遮光塗料を塗布した構成が主流となっている。このような構成において、上述したようなスクリーンフィット構造を採用したものでは、ＦＰＣやドライバＩＣが発する電磁波ノイズを遮蔽するために導電テープ等で対策することは困難である。
【０００６】
本発明は、表示パネルの表示面を被覆するカバーガラスを設けた構成において、外部への電磁妨害対策が容易な表示装置を提供することを目的とする。
【課題を解決するための手段】
【０００７】
上述した課題を解決し、目的を達成するために、本発明の表示装置は、表示パネルと、前記表示パネルに対向配置され、前記表示パネルの表示面を被覆する表示カバーと、を備え、前記表示カバーは、前記表示パネルからの光を透過する透過領域と、前記透過領域の外周部に設けられ、前記表示パネルからの光を遮断する遮光領域と、を有し、前記遮光領域には、前記表示カバーに設けられた第１遮光部材と、前記第１遮光部材の表面に設けられた透光性導電膜と、が積層されている。
【図面の簡単な説明】
【０００８】
【図１】図１は、実施形態１に係る表示装置の全体斜視図である。
【図２】図２は、実施形態１に係る表示装置の分解斜視図である。
【図３】図３は、実施形態１に係る表示装置の外縁部断面図である。
【図４】図４は、実施形態１に係る表示装置の概略縦断面構造を示す模式図である。
【図５】図５は、実施形態２に係る表示装置の概略縦断面構造を示す模式図である。
【図６】図６は、実施形態３に係る表示装置の概略縦断面構造を示す模式図である。
【図７】図７は、実施形態３に係る図６とは異なる表示装置の概略縦断面構造を示す模式図である。
【発明を実施するための形態】
【０００９】
以下、発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態１）
図１は、実施形態１に係る表示装置の全体斜視図である。図２は、実施形態１に係る表示装置の分解斜視図である。図３は、実施形態１に係る表示装置の外縁部断面図である。図４は、実施形態１に係る表示装置の概略縦断面構造を示す模式図である。図１〜図４を参照しながら、実施形態に係る表示装置１の構成について説明する。
【００１１】
図１及び図２に示すように、本実施形態に係る表示装置１は、ＬＣＤ（液晶）パネル（表示パネル）２と、カバーガラス（表示カバー）３と、バックライトユニット４とを備えた液晶表示装置である。
【００１２】
図３に示すように、ＬＣＤパネル２は、２枚の透明基板２１，２２を含み構成される。ＬＣＤパネル２は、透明基板２１と透明基板２２との間に液晶層が形成されている。本実施形態のＬＣＤパネル２は、ＦＦＳ（Ｆｒｉｎｇｅ  Ｆｉｅｌｄ  Ｓｗｉｔｃｈｉｎｇ）型の液晶ディスプレイであり、一方の透明基板に駆動電極（共通電極）と、画素に対応して形成されたマトリクス状に配置された画素電極が積層されている。また、２つの透明基板の少なくとも一方には、例えば、Ｒ（赤）、Ｇ（緑）及びＢ（青）等のフィルタが画素に対応して配置されたカラーフィルタが設けられ、液晶セルが構成される。この液晶セルが構成される領域を、以下「表示領域」という。
【００１３】
ＬＣＤパネル２は、画素電極と駆動電極（共通）のいずれか一方に開口が形成されており、開口からもれた電界（フリンジ電界）で液晶セルを駆動させる。ＬＣＤパネル２は、画像信号に基づいて、各画素での光の透過と遮断を切り換えることで、画像を表示させる。ＬＣＤパネル２は、マトリクス状に画素が配置された面、つまり面積が最も大きい面（パネル面、表面）が後述するバックライトユニット４の照射面と略平行に配置されている。ＬＣＤパネル２は、ＦＦＳ型であるが、ＩＰＳ（Ｉｎ−Ｐｌａｎｅ  Ｓｗｉｔｃｈｉｎｇ）型、ＴＮ（Ｔｗｉｓｔｅｄ  Ｎｅｍａｔｉｃ）型、ＯＣＢ（Ｏｐｔｉｃａｌｌｙ  Ｃｏｍｐｅｎｓａｔｅｄ  Ｂｅｎｄ、Ｏｐｔｉｃａｌｌｙ  Ｃｏｍｐｅｎｓａｔｅｄ  Ｂｉｒｅｆｒｉｎｇｅｎｃｅ）型、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）型の液晶としてもよい。また、ＬＣＤパネル２は、電圧がかかっていない状態で光を透過せず表示が黒になるノーマリーブラック、電圧がかかっていない状態で光を透過し表示が白になるノーマリーホワイトのいずれの方式も用いることができる。
【００１４】
また、図２に示すように、ＬＣＤパネル２は、ＦＰＣ（Ｆｌｅｘｉｂｌｅ  Ｐｒｉｎｔｅｄ  Ｃｉｒｃｕｉｔｓ）５が接続されている。ＦＰＣ５は、ＬＣＤパネル２に制御信号を送信して表示動作を制御する外部機器（制御装置）に接続される。
【００１５】
カバーガラス３は、ＬＣＤパネル２の表示側の面（以下「表示面」という）に対向配置され、ＬＣＤパネル２の表示面を被覆して保護する透光性を有する板状のガラス基板３３を基材とするガラス部材である。カバーガラス３は、カバーガラス支持ケース４２に固定されている。また、カバーガラス３は、ＬＣＤパネル２の表示領域に対向する領域の外周部に、ＬＣＤパネル２からの光を遮断する遮光領域３１が設けられ、この遮光領域３１の内側に、ＬＣＤパネル２からの光を透過する透過領域３２が設けられている。
【００１６】
図４に示すように、カバーガラス３は、遮光領域３１に積層体３４が設けられている。積層体３４は、ガラス基材３３にスクリーン印刷等によって印刷された第１遮光部材３５と、第１遮光部材３５の表面に製膜された、例えばＩＴＯ（酸化インジウムスズ：Ｉｎｄｉｕｍ  Ｔｉｎ  Ｏｘｉｄｅ）製のＩＴＯ膜等の透光性導電膜３６と、透光性導電膜３６の表面にスクリーン印刷等によって印刷された第２遮光部材３７とを含み構成される。すなわち、積層体３４は、透光性導電膜３６と、この透光性導電膜３６を挟み配置される第１遮光部材３５及び第２遮光部材３７を含んでいる。
【００１７】
図２、図３、及び図４に示すように、ＬＣＤパネル２の表示面は、例えばＵＶ（ｕｌｔｒａｖｉｏｌｅｔ）硬化樹脂（紫外線硬化樹脂）等の透光性を有する絶縁性の光学用接着剤である光学用透明樹脂（ＯＣＲ：Ｏｐｔｉｃａｌｌｙ  Ｃｌｅａｒ  Ｒｅｓｉｎ）３８によってカバーガラス３に貼り付けられている。これにより、カバーガラス３とＬＣＤパネル２との間に絶縁層が形成される。ＵＶ硬化樹脂は、紫外線の光エネルギーに反応して液体から固体に化学的に変化する合成樹脂である。なお、ここでは、絶縁層を形成する光学用透明樹脂３８としてＵＶ硬化樹脂を用いたが、これに限定されない。
【００１８】
本実施形態の表示装置１は、ＬＣＤパネル２の表示側の面、つまり表示面を保護する表示カバーとして、カバーガラス３を設け、ＬＣＤパネル２にカバーガラス３を固定したが、これに限定されない。表示装置１は、ＬＣＤパネル２の表面を保護することができ、かつ、ＬＣＤパネル２に表示された画像を透過させることができればよく、板状でかつ光を透過する種々の表示カバーを用いることができる。表示カバーとしては、透明な樹脂部材や、タッチパネルを用いることができる。
【００１９】
バックライトユニット４は、収納ケース４１と、カバーガラス支持ケース４２（表示カバー支持ケース）と、バックライト４３とを備えている。
【００２０】
収納ケース４１は、矩形状の箱型の金属製のケースであり、ＬＣＤパネル２及びバックライト４３を固定して収納すると共に、バックライト４３から照射する光を外部に漏れないように遮光する。また、収納ケース４１は、バックライト４３及びＬＣＤパネル２のＧＮＤ電位を有し、パネル面がバックライト４３の照射面と略平行に配置されるＬＣＤパネル２に対するシールド効果を奏する。
【００２１】
カバーガラス支持ケース４２は、カバーガラス３が遮光領域３１において貼付けられる貼付板部４２ａと、該貼付板部４２ａの光源側の面から略垂直な方向に延在する側板部４２ｂと、を含む。
【００２２】
カバーガラス支持ケース４２は、側板部４２ｂの外面が、箱型の収納ケース４１の側壁の内面に対向するように収納ケース４１に嵌合する。カバーガラス支持ケース４２は、側板部４２ｂに形成された複数のフック部が、収納ケース４１の開口部に挿入されることで、収納ケース４１に対して固定される。また、ＬＣＤパネル２が光学用透明樹脂３８によって接着されたカバーガラス３を、遮光領域３１において貼付板部４２ａに貼り付ける際に、カバーガラス支持ケース４２の一部がＬＣＤパネル２の周縁部に対向し、ＬＣＤパネル２を保護する。なお、カバーガラス３とカバーガラス支持ケース４２との接着手段としては、例えば、両面粘着テープや接着剤を用いてもよいし、両面テープや接着剤等の複数の接着手段を併用してもよく、カバーガラス３とカバーガラス支持ケース４２との接着手段により本発明が限定されるものではない。
【００２３】
バックライト４３は、ＬＣＤパネル２に光を照射する機構であり、ＬＣＤパネル２に対面して配置されている。バックライト４３は、光を出力する光源と、光源から出力された光が入射され、入射された光を案内して、ＬＣＤパネル２に向けて照射させる導光板と、導光板の光照射面側に積層された光学シートを有する。光源としては、ＬＥＤ（Ｌｉｇｈｔ  Ｅｍｉｔｔｉｎｇ  Ｄｉｏｄｅ）や蛍光灯を用いることができる。また、光源は、図２に示すフレキシブルケーブル４５が、収納ケース４１及びカバーガラス支持ケース４２の外側に延在している。また、バックライト４３は、矩形状の導光板の一辺側に配置され、導光板の表示側に配置される光学シートを固定する光学シート支持部材も設けられている。なお、本実施形態では、バックライト４３として導光板を用いて導光板の出射面から光を出力させたがこれに限定されない。バックライト４３としては、ＬＥＤなどの点光源や冷陰極管（ＣＣＦＬ）などの線光源を用いてもよい。バックライト４３は、点光源や線光源を、複数配置し、ＬＣＤパネル２の表示面の全面に光を入射させるようにしてもよい。
【００２４】
図４に示すカバーガラス３の透過領域３２に対向するＬＣＤパネル２の表示領域の外側の領域Ａには、ＦＰＣ５との接続部２３や、ＬＣＤパネル２のドライバＩＣ２４等が配置される。これらＦＰＣ５との接続部２３やドライバＩＣ２４等、ＬＣＤパネル２の領域Ａに配置される各構成部は、電磁波ノイズの発生源となる。本実施形態に係る表示装置１は、上述したように、カバーガラス３の遮光領域３１に設けられる積層体３４を、例えばＩＴＯ製の透光性導電膜３６と、この透光性導電膜３６を挟み配置される第１遮光部材３５及び第２遮光部材３７を含む構成とすることで、ＦＰＣ５との接続部２３やドライバＩＣ２４等の各構成部を発生源とする電磁波ノイズを遮蔽することができ、外部への電磁妨害を抑制することができる。
【００２５】
また、ＬＣＤパネル２の表示領域を構成する液晶セルも、電磁波ノイズの発生源となる。本実施形態に係る表示装置１は、上述したように、ＬＣＤパネル２とカバーガラス３との間に、透光性を有する絶縁性の光学用接着剤である光学用透明樹脂３８を設けることで、ＬＣＤパネル２の液晶セルを発生源とする電磁波ノイズによる外部への電磁妨害を抑制することができる。
【００２６】
なお、上述した例では、積層体３４を構成する透光性導電膜３６として、ＩＴＯ膜を用いる例を示したが、透光性導電膜３６の種類はこれに限定されない。
【００２７】
また、上述した例では、カバーガラス３の遮光領域３１に設けられる積層体３４が、ガラス基材３３にスクリーン印刷等によって印刷された第１遮光部材３５と、第１遮光部材３５の表面に製膜された透光性導電膜３６と、透光性導電膜３６の表面にスクリーン印刷等によって印刷された第２遮光部材３７とを含む構成とする例を示したが、第２遮光部材３７を省略しても、上述した実施形態１の効果を得ることができる。第２遮光部材３７を設けない場合、バックライト４３から照射された光が透光性導電膜３６で反射し、表示品質を劣化させる可能性がある。透光性導電膜３６の表面に第２遮光部材３７を設けることで、表示装置１内部での反射の発生を抑制することができ、表示品質の劣化を防止することができる。
【００２８】
また、上述した例では、透光性を有する絶縁性の光学用接着剤である光学用透明樹脂３８によってＬＣＤパネル２をカバーガラス３に貼り付けて固定する例を示したが、光学用透明樹脂３８に代えて、絶縁性の光学用透明粘着シート（ＯＣＡ：Ｏｐｔｉｃａｌｌｙ  Ｃｌｅａｒ  Ａｄｈｅｓｉｖｅ）を用いてもよいし、ＬＣＤパネル２とカバーガラス３との固定手法として、光学用透明樹脂３８や光学用透明粘着シート等の光学用接着剤を用いない場合には、ＬＣＤパネル２とカバーガラス３との間に空気層を設けてもよい。ＬＣＤパネル２とカバーガラス３との間に介在させる絶縁層により本発明が限定されるものではない。
【００２９】
以上説明したように、実施形態１に係る表示装置１によれば、ＬＣＤパネル２の表示面にカバーガラス３を設けた構成において、カバーガラス３の遮光領域３１に設けられる積層体３４を、ガラス基材３３に設けられた第１遮光部材３５と、第１遮光部材３５の表面に設けられた透光性導電膜（例えば、ＩＴＯ膜）３６とを含む構成とすることで、カバーガラス３の透過領域３２に対向するＬＣＤパネル２の表示領域の外側の領域Ａに配置されるＦＰＣ５との接続部２３やドライバＩＣ２４等の各構成部を発生源とする電磁波ノイズを遮蔽することができ、外部への電磁妨害対策が容易となる。
【００３０】
また、ＬＣＤパネル２とカバーガラス３との間に絶縁層を設けることで、ＬＣＤパネル２の液晶セルを発生源とする電磁波ノイズによる外部への電磁妨害を抑制することができる。
【００３１】
また、透光性導電膜３６の表面に第２遮光部材３７を設けることで、表示装置１内部での反射の発生を抑制することができ、表示品質の劣化を防止することができる。
【００３２】
（実施形態２）
図５は、実施形態２に係る表示装置の概略縦断面構造を示す模式図である。なお、上述した実施形態１で説明したものと同じ構成要素には同一の符号を付して重複する説明は省略する。
【００３３】
図５に示すように、実施形態２に係る表示装置１ａは、第１遮光部材３５の表面に加え、カバーガラス３のＬＣＤパネル２の表示領域と対向するカバーガラス３の透過領域３２を含む全面に、例えばＩＴＯ膜等の透光性導電膜３６，３９を設けている。これにより、実施形態１よりも効果的にＬＣＤパネル２の液晶セルを発生源とする電磁波ノイズによる外部への電磁妨害を抑制することができる。
【００３４】
（実施形態３）
図６は、実施形態３に係る表示装置の概略縦断面構造を示す模式図である。図７は、実施形態３に係る図６とは異なる表示装置の概略縦断面構造を示す模式図である。なお、上述した実施形態１，２で説明したものと同じ構成要素には同一の符号を付して重複する説明は省略する。
【００３５】
図６に示す実施形態３に係る表示装置１ｂでは、実施形態１に係る表示装置１に対し、透光性導電膜３６と、バックライト４３及びＬＣＤパネル２のＧＮＤ電位を有する金属製の収納ケース４１とを、例えば導電テープ等の導電性部材４４で電気的に接続する構成としている。これにより、実施形態１よりも効果的にカバーガラス３の透過領域３２に対向するＬＣＤパネル２の表示領域の外側の領域Ａに配置されるＦＰＣ５との接続部２３やドライバＩＣ２４等の各構成部を発生源とする電磁波ノイズを遮蔽することができる。
【００３６】
図７に示す実施形態３に係る表示装置１ｃでは、実施形態２に係る表示装置１ａに対し、透光性導電膜３６，３９と、バックライト４３及びＬＣＤパネル２のＧＮＤ電位を有する金属製の収納ケース４１とを、例えば導電テープ等の導電性部材４４で電気的に接続する構成としている。これにより、実施形態２よりもさらに効果的にＬＣＤパネル２の液晶セルを発生源とする電磁波ノイズによる外部への電磁妨害を抑制することができる。
【００３７】
なお、上述した各実施形態では、表示パネルとしてＬＣＤ（液晶）パネルを用いた液晶表示装置の構成例について説明したが、表示パネルはこれに限定されない。例えば、表示パネルとして有機ＥＬパネルのような自発光体を用いた構成であっても、上述した各実施形態において説明した作用効果を得ることができることは言うまでもない。
【００３８】
上述した各実施形態は、各構成要素を適宜組み合わせることが可能である。また、本実施形態において述べた態様によりもたらされる他の作用効果について本明細書記載から明らかなもの、又は当業者において適宜想到し得るものについては、当然に本発明によりもたらされるものと解される。
【符号の説明】
【００３９】
１，１ａ，１ｂ，１ｃ  表示装置
２  ＬＣＤパネル（表示パネル）
３  カバーガラス（表示カバー）
４  バックライトユニット
５  ＦＰＣ
２１，２２  透明基板
２３  接続部
２４  ドライバＩＣ
３１  遮光領域
３２  透過領域
３３  ガラス基板
３４  積層体
３５  第１遮光部材
３６  透光性導電膜（ＩＴＯ膜）
３７  第２遮光部材
３８  光学用透明樹脂（絶縁層）
３９  透光性導電膜（ＩＴＯ膜）
４１  収納ケース
４２  カバーガラス支持ケース
４２ａ  貼付板部
４２ｂ  側板部
４３  バックライト
４４  導電性部材
４５  フレキシブルケーブル
【図１】
0006706053.tif 000002
【図２】
0006706053.tif 000003
【図３】
0006706053.tif 000004
【図４】
0006706053.tif 000005
【図５】
0006706053.tif 000006
【図６】
0006706053.tif 000007
【図７】
0006706053.tif 000008